(57)【要約】      （修正有）【課題】トイレで流すのが容易になるよう構成された医療用パウチ（オストミーパウチ）を提供する。【解決手段】パウチ１０は、その入口開口に接着剤カラー２０を保持している。カラーは、０．８ｍｍ（約３２ミル）以下の厚さを有している。カラーは、約０．４ｍｍ（約１６ミル）以下の厚さの接着剤層２４を有している。接着剤は、約０．５ｍｍ（約２０ミル）の厚さの基板上に保持されている。パウチは、パウチを引裂くのを容易にするための開封ストリップ４０を有している。開封ストリップは、第１の最初の裂け目を作るよう構成されており、その裂け目からは１つ以上の他の裂け目が伝播する。【選択図】図１
2005205216.tif 000002
【特許請求の範囲】
【請求項１】
入口開口を有するパウチエンベロープと、入口開口に設けられたカラーを支持する接着剤と、を備え、カラーが、約０．８ｍｍ（約３２ミル）以下の厚さを有していることを特徴とするオストミーパウチ。
【請求項２】
パウチエンベロープが、水洗トイレに流して処分できるよう構成されている、請求項１記載のパウチ。
【請求項３】
キャリアスリーブ又は処分バッグを更に備えており、キャリアスリーブ又は処分バッグは、その中にパウチエンベロープを収納でき、パウチがトイレで流れるのを容易にするために水に浸かると滑りやすくなる材料からなっている、請求項２記載のパウチ。
【請求項４】
パウチエンベロープが、生物分解性、水分解性、及び水分散性の内の１種以上の材料を少なくとも５０％含んで構成されている、請求項１記載のパウチ。
【請求項５】
第１の上記パウチエンベロープを取り外し可能に受け入れる第２のパウチエンベロープを更に備えている、請求項１記載のパウチ。
【請求項６】
カラーの接着剤によってカラーに対して固定され又は固定可能な身体取付ウエハを更に備えている、請求項１記載のパウチ。
【請求項７】
パウチがワンピース型パウチであり、身体取付ウエハが、カラーと身体取付ウエハとの間の接着係合を壊すことによってパウチから分離可能である、請求項６記載のパウチ。
【請求項８】
パウチがツーピース型パウチであり、身体取付ウエハが、カラーの接着剤によってカラーに対して取り外し可能に固定可能である、請求項６記載のパウチ。
【請求項９】
入口開口を有するパウチエンベロープと、入口開口に設けられたカラーと、を備え、カラーが、約０．４ｍｍ（約１６ミル）以下の厚さを有する接着剤層を保持していることを特徴とするオストミーパウチ。
【請求項１０】
接着剤層の厚さが、約０．０１３ｍｍ（約０．５ミル）〜約０．２ｍｍ（約８ミル）である、請求項９記載のパウチ。
【請求項１１】
パウチエンベロープが、水洗トイレに流して処分できるよう構成されている、請求項９記載のパウチ。
【請求項１２】
入口開口を有するパウチエンベロープと、入口開口に設けられたカラーと、を備え、カラーが、接着剤層を保持する基板を備え、基板が、約０．５ｍｍ（約２０ミル）以下の厚さを有していることを特徴とするオストミーパウチ。
【請求項１３】
基板の厚さが、約０．４ｍｍ（約１６ミル）である、請求項１２記載のパウチ。
【請求項１４】
パウチエンベロープが、水洗トイレに流して処分できるよう構成されている、請求項１２記載のパウチ。
【請求項１５】
パウチエンベロープと、パウチエンベロープの一部を引裂く開封ストリップと、を備え、開封ストリップが、使用時に、初めの第１裂け目を作るよう構成されており、第１裂け目からは第２裂け目が伝播し、第２裂け目は第１裂け目から異なる方向に伝播することを特徴とするオストミーパウチ。
【請求項１６】
第２裂け目が、第１裂け目に対して鈍角で伝播する、請求項１５記載のパウチ。
【請求項１７】
開封ストリップが、使用時に、第１裂け目及び第２裂け目の少なくとも一方から伝播する第３裂け目を作るよう構成されており、第３裂け目は、第３裂け目が伝播する第１裂け目又は第２裂け目から異なる方向に伝播する、請求項１５記載のパウチ。
【請求項１８】
第２裂け目及び第３裂け目が、第１裂け目に対して曲がった方向に伝播する、請求項１７記載のパウチ。
【請求項１９】
パウチエンベロープが、水洗トイレに流して処分できるよう構成されている、請求項１５記載のパウチ。
【請求項２０】
パウチエンベロープと、パウチエンベロープの一部を引裂く開封ストリップと、を備え、開封ストリップが、取付部の多数の相互に接続したラインに沿ってパウチの壁に結合されており、取付部のラインが、第１の開始裂け目ラインと、少なくとも、第１ラインから第１ラインとは異なる方向に延びる第２裂け目伝播ラインと、からなっていることを特徴とするオストミーパウチ。
【請求項２１】
開封ストリップが、１つ以上の溶着によってパウチに取り付けられている、請求項２０記載のパウチ。
【請求項２２】
第２ラインが、第１ラインから鈍角で伝播している、請求項２０記載のパウチ。
【請求項２３】
第２ラインが、閉じたループ形状を有しており又はその一部を構成している、請求項２０記載のパウチ。
【請求項２４】
閉じたループ形状が、概ね四角形である、請求項２３記載のパウチ。
【請求項２５】
パウチエンベロープが、水洗トイレに流して処分できるよう構成されている、請求項２０記載のパウチ。
【請求項２６】
パウチエンベロープと、パウチの壁に結合されており、引っ張るとパウチエンベロープの一部を引裂く、開封ストリップと、を備え、開封ストリップが、壊れやすい接続によって収納状態で取り付けられた展開可能部分を備え、壊れやすい接続が、パウチエンベロープを引裂くことなく、壊れやすい接続を壊すことによって、展開可能部分を展開させることができるよう、構成されていることを特徴とするオストミーパウチ。
【請求項２７】
収納状態において、展開可能部分が、壊れやすい接続によって、パウチエンベロープに取り付けられている、請求項２６記載のパウチ。
【請求項２８】
壊れやすい接続が、溶着及び弱い接着剤から選択される、請求項２６記載のパウチ。
【請求項２９】
壊れやすい接続が、引裂かれるよう構成されたパウチ壁の領域から離れている、請求項２６記載のパウチ。
【請求項３０】
開封ストリップが設けられている領域において、開封ストリップが、パウチの一方の先端付近から、パウチの他方の先端付近へ、延びている、請求項２６記載のパウチ。
【請求項３１】
パウチエンベロープが、水洗トイレに流して処分できるよう構成されている、請求項２６記載のパウチ。
【請求項３２】
パウチエンベロープと、パウチの壁に結合されており、引っ張るとパウチエンベロープの一部を引裂く、開封ストリップと、を備え、開封ストリップを用いることによって少なくとも１つの裂け目ラインに沿ってパウチを引裂くのに必要とされる力が、２５４０ｍｍ／分の引裂き速度にて測定した場合に約２Ｎ／インチ〜約２０Ｎ／インチであるように、開封ストリップが配置されていることを特徴とするオストミーパウチ。
【請求項３３】
開封ストリップを引っ張ることによって開かれる各裂け目ラインに沿ってパウチを引裂くのに必要とされる力が、２５４０ｍｍ／分の引裂き速度にて測定した場合に約２Ｎ／インチ〜約２０Ｎ／インチである、請求項３２記載のパウチ。
【請求項３４】
パウチエンベロープが、水洗トイレに流して処分できるよう構成されている、請求項３２記載のパウチ。
【請求項３５】
パウチエンベロープと、パウチエンベロープの一部を引裂く開封ストリップと、を備え、開封ストリップが、取付部の１つ以上の領域でエンベロープに結合しており、該取付部の領域が、概ね四角形状、鈍角で交差する第１及び第２のラインで構成された形状、及び／又は、パウチが概ね直立状態にあるときにパウチの下位部付近に設けられ概ね横方向に延びているラインで構成された形状、から選択された１つ以上の形状で構成されていることを特徴とするオストミーパウチ。
【請求項３６】
パウチエンベロープが、水洗トイレに流して処分できるよう構成されている、請求項３５記載のパウチ。
【発明の詳細な説明】
【発明の詳細な説明】
【０００１】
発明の分野
本発明は医療用パウチに関するものである。「医療」という言葉は個人衛生を含んでいる。ある形態では、パウチは、体液や人体排泄物を収集するための収集パウチ（例えばオストミーパウチ）である。本発明の１つの非限定的態様は、水洗トイレにおけるパウチの処分を容易にすることに関するものである。
【０００２】
発明の背景
収集された人体排泄物で満たされているオストミーパウチのような使用済みの医療パウチを処分することは、依然として、パウチ使用者にとって、関心のある分野である。処分は、衛生的でなければならず、しかも、使用者にとって便利でなければならない。処分を容易なものとする手段として、水洗トイレで流すことによって処分できるパウチの開発が、種々、試みられている。しかしながら、そのような「水洗性」は、現在のパウチ条件と殆ど両立しない多くの要因に依存している。現在のパウチは、安全性、臭い防御性、快適性、及び審美性に関する消費者のニーズを満足させるために開発されてきているので、より複雑になっており、所望の水洗性を達成することを困難にしている。
【０００３】
例えば、パウチを身体に取り付けるための従来の医療用接着剤身体取付ウエハは、高い皮膚接着特性を有する親水コロイドポリマーで作られている。そのウエハは、比較的しっかりと適合し、一般に１．２７ｍｍ〜２．５ｍｍ（５０〜１００ミル）の厚さを有している。しかしながら、親水コロイドポリマーは、殆ど水に溶けないので、トイレの水中に、殆ど変化しないで残ってしまう。また、ウエハの厚さ及び特性は、それが容易に水洗されないことを示している。ウエハを備えたパウチがうまく水に流されたとしても、ウエハは、水洗トイレの下水管中にパウチを容易に詰まらせて、閉塞の危険を生じさせる。したがって、厚くて比較的曲がりにくい親水コロイドウエハを用いたパウチは、パウチの水洗性の条件と相容れないものである。
【０００４】
身体取付ウエハがパウチに対して取り外し可能に固定できるようになっているツーピース型パウチにおいても、パウチと身体取付ウエハとの間を取り外し可能に固定するために、幾つかの形態の接続装置がパウチ自身に必要とされている。接続装置は、通常、一定の厚さ（一般には少なくとも２ｍｍであるが、しばしばそれより大きい）を有しており、横方向フランジを有している。最適な安全性のためには、接続装置は、パウチに対して永久的に固定される必要がある。それでも、そのような接続装置は、パウチの水洗性を低減し、水洗トイレの閉塞の危険性を増大させる。
【０００５】
下記の特許及び出願が参照とされ、その内容はここに参照として組み入れられる。米国特許番号５９７６１１８及び米国出願番号１０／６３０，５７５。これらの文献が示す技術は、本発明と組み合わせて使用できる。
【０００６】
発明の概要
本発明の一態様は、概ね、医療用パウチに関するものである。パウチは、水洗トイレで流すことを容易にするよう、任意に構成できる。
【０００７】
パウチは、例えば、オストミーパウチである。
【０００８】
パウチは、下記の非限定的特徴を１つ以上含んでいる。更なる及び／又は代わりの特徴は、強調されていてもいなくても、好ましい実施形態の記載から、及び／又は、添付図面に示されているように、当業者にとって明白である。
【０００９】
ある形態において、パウチは、パウチの入口開口を囲むカラーを有している。カラーは、接着剤を担持している。接着剤の厚さは、約０．３ｍｍ（約１２ミル）以下である。
【００１０】
カラーは、接着剤を保持する基板を備えている。基板の厚さは、約０．５ｍｍ（約２０ミル）以下である。
【００１１】
そのような比較的薄い接着剤及び／又は比較的薄い基板は、従来技術に比して、パウチの水洗の容易性を大きく増大できる。
【００１２】
カラーは、入口開口の周囲でパウチに固定されている。カラーの一部、例えば周辺部は、固定されなくてもよい。カラーは、少なくとも、部分的可撓性及び／又は弾性的可撓性である。
【００１３】
カラーは、身体取付ウエハに対して、接着分離可能な留め具及び／又は再配置可能な留め具を提供する接続装置として、機能できる。身体取付ウエハは、カラーによって接着係合するための接合ゾーンを提供する表面を、備えている。その表面は、プラスチック表面である。その表面は、取付ウエハのフィルムによって設けられている。少なくともフィルムの一部は、取付ウエハの他の部分に対して取り外し可能である。取付ウエハは、例えば１種以上の親水コロイドポリマーからなる適切な皮膚接着剤を備えている。
【００１４】
取付ウエハは、ワンピース型パウチとして、初めからパウチに取り付けられて、供給できる。代わりに、取付ウエハは、ツーピース型パウチとして、別々の部品でもよい。更に代わるものとしては、除外される身体取付ウエハ、及び、装着者の皮膚に接着剤身体取付部を直接に提供するためのカラーがある。
【００１５】
パウチフィルム及び／又はカラーの基板は、１種以上の、生物分解性及び／又は水溶性及び／又は水分散性の材料で、構成できる。
【００１６】
少なくともパウチフィルムは、パウチフィルムを通して臭いが発散されることに対するバリアとして機能するバリア材料で、構成してもよい。バリア材料は、例えばスプレーして塗布することによって、パウチフィルムにコーティングできる。
【００１７】
パウチは、更に、不織布快適層を備えてもよい。不織布快適層は、１種以上の、生物分解性及び／又は水溶性及び／又は水分散性の材料で、構成できる。
【００１８】
生物分解性及び／又は水溶性及び／又は水分散性であるパウチの一部は、パウチの少なくとも約５０％である。
【００１９】
代わりのものとして、接着剤カラーが、パウチの代わりに身体取付ウエハに設けられる。その場合には、接合表面が、取付ウエハのカラーによる接着係合のために、パウチに設けられる。接合表面は、第２カラーによって設けることができ、上述の基板と類似した１つ以上の特性を有している。
【００２０】
他の形態では、パウチは、開封タブを有している。開封タブは、安静位から引っ張られるとパウチに裂け目を作るよう構成されている。裂け目は、パウチの浮力及び容積を低減するために、パウチに捕らわれるかもしれない空気を逃がすことができる。また、裂け目は、パウチ内容物の少なくとも幾らかをトイレに直接逃がすことができ、パウチの容積を低減できる。
【００２１】
開封タブは、開封タブの移動が最初の１つの裂け目を作るように構成できる。更に、開封タブの移動は、裂け目を、例えば最初の裂け目から、１つ以上の異なる方向に、伝播させることができる。これは、例えば、最初の１つの裂け目から比較的広い開口が開かれるのを可能にできる。そのような構成は、異なった開始位置で多くの裂け目を作らなければならないという複雑さを有することなく、広い開口を作ることができる。
【００２２】
例えば、開封タブは、取付部の１つ以上のラインによって、パウチの壁に結合されている。取付部のラインは、裂け目開始ラインを有することができ、それは、開封タブを引っ張る際に裂ける１番目のラインである。裂け目開始ラインから１つ以上の他の裂け目伝播ラインを、１つ以上の異なる伝達方向に、延ばすことができる。
【００２３】
取付部のラインは、例えば、溶着ラインである。裂け目開始ラインは、比較的狭い幅、例えば１〜５ｍｍの幅を有している。
【００２４】
開封タブは、裂け目を作るために開封タブに加えられるべき力が、使用中において、ＡＳＴＭ  Ｆ８８に基づく２５４０ｍｍ／分の引裂き速度で概ね２〜２０Ｎ／インチの範囲であるように、構成されている。
【００２５】
開封タブは、使用者が開封タブを掴むことができるように、掴み部分を備えてもよい。掴み部分は、最初は、壊れやすい接続によって、収納状態で、取り付けることができる。壊れやすい接続は、パウチエンベロープを裂くことなく、壊れやすい接続を壊すことによって、掴み部分を、展開させることができ、例えば収納状態から開放させることができる。
【００２６】
引裂かれるパウチの領域は、パウチの条件に応じて構成できる。例えば、ある形態では、引裂かれる領域は、（パウチが通常の直立方向にあるとき）パウチの下位部付近又は下位部に配置できる。引裂かれる領域をこのように配置することは、パウチエンベロープの底に通常は落下するパウチ内容物を、迅速に及び／又は効率良く放出させることができる。パウチ内容物は、パウチの重量及び／又は内部圧力の下で、放出される。更に又は代わりに、引裂かれる領域は、（パウチが通常の直立方向にあるとき）パウチの上位部付近又は上位部に配置できる。引裂かれる領域をこのように配置することは、使用者がパウチ内容物に触れる危険性を低減しながら、（例えばトイレの水中でのパウチの浮力を低減するために）パウチから空気を排出させることができる。最適な位置は、使用者の目的及び／又は好みに応じたパウチの用途に依存する。
【００２７】
開封タブは、取付部の１つ以上の領域において、エンベロープに結合できる。その取付部の領域は、下記から選択された１つ以上の形状を備えている。すなわち、概ね四角形状、鈍角で交差する第１及び第２のラインで構成された形状、及び／又は、パウチが概ね直立方向にあるときのパウチの下位部付近に設けられ概ね水平に延びているラインで構成された形状。
【００２８】
他の形態では、開封ストリップを有し又は有さないパウチが、トイレで流す前に、キャリアスリーブ又はバッグに収納される。スリーブ又はバッグは、水に晒されると滑りやすい層を形成し、パウチを引っ掛けるかもしれない表面を滑ることができる。
【００２９】
上記特徴は、互いに単独で使用でき、又は、それらは、組み合わせて更なる利点を生じさせるために（好ましい実施形態におけるように）組み合わせることができる。本発明は、好ましい実施形態における記載の有無に拘わらず、上記特徴のいかなる組み合わせも、明白に意図している。
【００３０】
本発明の非限定的な好ましい実施形態が、実施例のみを目的として、添付図面を参照して、ここに記載されている。
【００３１】
好ましい実施形態の説明
図１〜５は、医療パウチ１０の形の本発明の第１実施形態を示している。パウチ１０は、収集パウチ、例えばオストミーパウチである。
【００３２】
パウチ１０は、概ね、プラスチック溶着１６によって結合された前壁１２及び後壁１４で構成されている。前壁１２及び／又は後壁１４は、生物分解性及び／又は水溶性及び／又は水分散性の材料で構成されている。適切な材料は、ほんの一例ではあるが、ポリカプロラクトン、ポリ乳酸（ＰＬＡ）、脂肪族ポリエステル（例えば、Eastman製のEstar Bio、BASF製のEcoflex、du Pont製のBiomax）、３−ヒドロキシブチレートのコポリマー（例えば、Monsanto製のPHBV）、ポリ（ヒドロキシアルコネート）のホモポリマー及びコポリマー（例えば、Proctor and Gamble製のNodax）、スターチベースポリマー（例えば、Novamont製のMaterbi）、ポリ（ビニルアルコール）ベースポリマー、アルカリ可溶性ポリマー（例えば、Belland製のアクリル酸コポリマー）などがある。
【００３３】
前壁１２及び／又は後壁１４は、更に、パウチ壁を通って臭いが放散されるのを遮るためのバリア材を、備えてもよい。適切なバリア材は、ポリビニリデンクロライド（ＰＶＤＣ）又はポリビニルアルコール又はポリアクリロニトリルである。バリア材は、例えば、スプレーしてパウチ壁材料にコーティングしてもよく、又は、境膜の一層として含ませてもよい。
【００３４】
前壁１２及び／又は後壁１４は、更に、快適層（図示せず）を備えてもよい。快適層は、各壁１２又は１４上に直接保持でき、又は、例えば周辺の溶着１６にて壁１２又は１４に固定されるカバーシートで構成できる。快適層は、生物分解性及び／又は水溶性及び／又は水分散性の材料で構成できる。快適層は、不織布材料、例えば、コットン、ビスコース、ポリ（ビニルアルコール）、ポリ（乳酸）、ポリ（カプロラクトン）、ポリ乳酸（ＰＬＡ）、脂肪族ポリエステル（例えば、Eastman製のEstar Bio、BASF製のEcoflex、du Pont製のBiomax）、３−ヒドロキシブチレートのコポリマー（例えば、Monsanto製のPHBV）、ポリ（ヒドロキシアルコネート）のホモポリマー及びコポリマー（例えば、Proctor and Gamble製のNodax）、スターチベースポリマー（例えば、Novamont製のMaterbi）、ポリ（ビニルアルコール）ベースポリマー、アルカリ可溶性ポリマー（例えば、Belland製のアクリル酸コポリマー）などで、構成できる。
【００３５】
後壁１４は、入口開口１８を有している。身体排泄物のような収集される物質は、入口開口１８を通ってパウチ１０内へ入る。カラー２０が、入口開口１８の回りの後壁１４に固定されている。カラー２０の目的は、身体取付ウエハ２２（後述する）に対して分離可能な留め具を提供することである。カラー２０は、適切で概ね永久的な手段、例えば溶着又は強い接着剤によって、後壁１４に固定される。カラー２０の全体が後壁１４に固定されてもよく、又は、カラー２０の周辺部分２０ａが（図１に示すように）固定されなくてもよい。固定されない部分２０ａは、手による操作を容易にし、及び／又は、パウチ１０の重量を支持しながらもパウチ１０の動きの自由度を大きくする。カラー２０は、少なくとも、部分的可撓性及び／又は弾性的可撓性である。カラー２０は、摘み２５の形の突出部分を有しており、それにより、カラーを掴むことができる。
【００３６】
カラー２０は、基板２６上に担持された接着剤層２４を備えている。接着剤層２４の厚さは、約０．３ｍｍ（約１２ミル）以下、例えば、約０．２ｍｍ（約８ミル）以下、又は、約０．１ｍｍ（約４ミル）以下である。接着剤層２４の厚さは、少なくとも約０．００２５ｍｍ（約０．１ミル）、例えば、少なくとも約０．０２５ｍｍ（約１ミル）である。好ましい厚さの範囲は、約０．０２５ｍｍ（約１ミル）から約０．１ｍｍ（約４ミル）までである。
【００３７】
接着剤層２４は、粘着剤で構成してもよい。適切な粘着剤は、ほんの一例ではあるが、アクリレートベース接着剤、ポリ（エチレンビニルアセテート）（ＥＶＡ）ベース接着剤、ポリオレフィンベース接着剤、スチレンブロックコポリマーベース接着剤、シリコンベース接着剤、水分散性接着剤（例えば、AQポリマー及び／又はEastman製のスルホポリエステル）、ポリウレタン接着剤などがある。
【００３８】
基板２６の厚さは、約０．５ｍｍ（約２０ミル）以下、例えば、約０．４ｍｍ（約１６ミル）以下、又は、約０．３ｍｍ（約１２ミル）以下、又は、約０．２５ｍｍ（約１０ミル）である。基板は、生物分解性及び／又は水溶性及び／又は水分散性の材料からなっている。適切な材料は、例えば、ポリビニルアルコール（ＰＶＯＨ）、ポリカプロラクトン、ポリ乳酸、脂肪族ポリエステル、３−ヒドロキシブチレートのコポリマー、スターチベースポリマー、ポリ（ヒドロキシアルコネート）などである。
【００３９】
更に又は代わりに、接着剤層２４と基板２６との合計厚さは、約０．８ｍｍ（約３２ミル）以下、例えば、約０．６ｍｍ（約２４ミル）以下、或いは、約０．４ｍｍ（約１６ミル）以下である。
【００４０】
接着剤層２４及び基板２６の厚さは、これらの層を概略図において区別して見ることができるように、図１では誇張されている。
【００４１】
上記構成では、パウチ材料の少なくとも約５０％又は多くても例えば約７５％が、生物分解性及び／又は水溶性及び／又は水分散性の材料である。
【００４２】
身体取付ウエハ２２は、概ね、医療用皮膚接着剤２８からなる一層と、一層以上のプラスチックバッキング層３０とで、構成できる。接着剤２８は、１種以上の親水コロイドポリマーからなっている。バッキング層３０は、接着剤２８の後の接着表面を覆っており、及び／又は、カラー２０によって接着係合するための接合表面（又は接合ゾーン）を提供している。１つのバッキング層３０が、接着剤２８の後を覆い且つ接合表面を提供するように、使用されると、カラー２０は、接着剤２８の層の後によって概ね構成される面内で、ウエハ２２に接着される。２つ（又はそれ以上）のバッキング層３０ａ及び３０ｂが（図１におけるように）使用されると、外側バッキング層３０ｂは、接着剤２８の層の形とは無関係に自由に動き及び／又は浮かび及び／又は曲がることができる接合「プラットホーム」を、提供できる。そのようなデザインは、パウチの重量を支持しながらも、パウチ１０とウエハ２２との間の結合の程度を低減できる。結合の程度を低減させることは、装着者の皮膚から接着剤２８を剥がすためにパウチ重量の影響を避ける上で、利点がある。また、結合の程度を低減させることは、装着者にとっての快適性を増大でき、また、身体に装着されているウエハ２２からパウチ１０を取り外す場合に敏感なストーマ領域に加えられる分離力を大きく孤立させることができる。
【００４３】
身体取付ウエハ２２は、ＥＰ−Ａ−１０３３９５２及び／又はＥＰ−Ａ−０７９３９５１に記載されているものと同様である。
【００４４】
パウチ１０及び身体取付ウエハ２２は、ワンピース型製品として予め接続されて、供給できる。装着者がパウチ１０の処分を望む場合には、パウチ１０及び接続されたウエハ２２は、皮膚から剥がすことができる。その後、ウエハ２２は、カラー２０をウエハ２２から剥がすことによって分離できる。そして、パウチ１０は、水洗トイレで流すことによって容易に処分できる。比較的薄いカラー２０は、パウチ１０を容易に水に流させることができる。カラー２０の材料としては、水中で柔らかくなるもの及び／又は少なくとも部分的に溶解するものを使用でき、それにより、カラー２０は、水に流されることが更に促進される。更に、カラーは、パウチ１０を使用している間、パウチ１０とウエハ２２との間の安全で且つ信頼できる留め具を、提供できる。パウチ１０が水に流されると、（比較的きれいな）ウエハ２２は、例えばゴミ箱中で別に処分される。
【００４５】
ワンピース型製品としての別の形態では、ウエハ２２は省略され、パウチ１０は、カラー２０の接着剤層２４によって身体に取り付けられる。
【００４６】
ワンピース型製品に代えて、パウチ１０及び身体取付ウエハ２２は、ツーピース型製品として別々のユニットとして供給できる。カラー２０の接着剤２４は、ウエハ２２に対してパウチ１０の位置を変えたり、パウチ１０を替えのパウチ１０と置き換えたりできるように、パウチ１０とウエハ２２との間の繰り返しの接着及び分離を可能としている。装着者がパウチ１０の処分を望む場合には、パウチ１０は、ウエハ２２が身体に装着されたままで、カラー２０によってウエハ２２から剥がすことができる。そして、パウチ１０は、上述したように水洗トイレで容易に処分できる。必要ならば、替えのパウチ１０をウエハ２２に接着する。
【００４７】
パウチ１０は、開封ストリップ又は開封タブ４０を備えてもよい。それによれば、パウチ１０の部分４２は、水に流すことを更に容易にするために引裂かれる。部分４２は、パウチ壁のハッチ又はフラップ部分である。開封タブ４０は、パウチの前壁１２又は後壁１４のいずれかに取り付けられる。本実施形態では、開封タブ４０を前壁１２に取り付けるのが好ましい。何故なら、開口１８が既に後壁１４に設けられているからである。
【００４８】
開封タブ４０は、取付部４４の１つ以上の領域又はラインによって、例えば溶着又は強力な接着剤によって、パウチ壁１４に固定される。開封タブ４０を壁から引き離すと、裂け目が、取付部４４の少なくとも幾つかのラインに沿って壁材料に作られ、部分４２を開放する。取付部のラインは、裂け目開始ライン４４ａと、第１及び第２の分岐伝播ライン４４ｂ、４４ｃを備えている。第１及び第２の伝播ライン４４ｂ、４４ｃの一方又は両方は、裂け目開始ライン４４ａに対して鈍角に交差している。更に、取付部のラインは、タブの伝播ライン４４ｄ、４４ｅを含んでいる。裂け目開始ライン４４ｃの少なくとも一部は、比較的細く、例えば、約１ｍｍ〜約５ｍｍの幅である。裂け目開始ライン４４ａは、単独の裂け目を比較的容易に開始させることができる。他の裂け目伝播ライン４４ｂ〜ｅは、比較的細く又は太くできる。引裂きは、裂け目伝播ライン４４ｂ〜ｅの外側で起こる。伝播ライン４４ｂ〜ｅは、開かれる部分４２の回りにおいて、単独の最初の裂け目を異なる方向で外側に向けて伝播させることができる。裂け目伝播ライン４４ｂ〜ｅは、実質的に閉じたループ形状を構成でき、又は、そのループ形状の回りの道の少なくとも大部分に延ばすことができる。例えば、閉じたループ形状は、概ね、四角形（例えば菱形又は長方形）、他の一般多角形、円形、又は楕円形である。本実施形態では、裂け目ライン４４は、くぼんだ形状を構成しており、その中央領域は、パウチ壁にくっついていない。しかしながら、閉じたループ形状を用いる他の実施形態では、閉じたループ形状の実質的な全領域が、必要ならばパウチ壁にくっついている。引裂きは、閉じたループ形状の周辺に沿って起こる。
【００４９】
引裂かれる部分４２をパウチの下位部付近又は下位部に位置決めすることは、例えば水洗トイレの水にパウチ内容物を迅速に且つ効率良く放出させるのに、特に有用である。パウチ内容物は、通常、パウチの底へ落下することによって収集される。この領域におけるパウチの引裂きは、パウチ内容物を、パウチ内容物の内部重量及び／又は内部圧力の下で、急速に放出させることができる。
【００５０】
開封ストリップパネル４０は、それが例えば溶着によって共に結合されるパウチ壁材料に比較して、厚いフィルムを用いる。また、開封ストリップパネル４０は、異なる材料を用いてもよい。より強い材料は、開封ストリップパネル自身を破る代わりに、開封ストリップを引っ張ることによって、引裂き力がパウチを開くように、使用できる。
【００５１】
開封タブ４０を用いてパウチ１０を引裂くのに必要とされる力は、ＡＳＴＭ  Ｆ８８に基づく２５４０ｍｍ／分の引裂き速度の場合に少なくとも約２Ｎ／インチ及び／又は約２０Ｎ／インチ以下である。この値は、開封ストリップによって開かれる裂け目の１つ又は幾つか又は全てに適用できる。そのような範囲は、パウチ１０の使用中における適切なパウチの強度及び安全性を提供するために見いだされたものであり、しかも、パウチ１０が処分される場合に十分容易に引裂くことができるものである。
【００５２】
開封タブ４０は、取付部４４の領域又はラインの範囲より長い（例えば十分に長い）ものである。例えば、開封タブ４０は、パウチ１０の高さの少なくとも大部分に渡って延びている。裂け目開始ライン４４ａは、入口開口１８の下方で及び／又はパウチ１０の高さの略途中で又はその下方で、開始している。比較的長い開封タブ４０を使用することは、タブ４０のレバレッジ効果又はピーリング効果又は引裂き効果を増大できる。また、それは、引裂かれる部分４２から離れた位置で装着者がタブを保持できることを意味しており、それは、衛生的理由からみて有益である。開封タブ４０の部分４５は、引裂かれるよう構成された部分４２から離れている。部分４５は、開封タブ４０の上位部である。更に又は代わりに、部分４５は、掴み部分である。使用者は、掴み部分によって、使用中に開封タブ４０を掴んでパウチを引裂くことができる。部分４５は、１つ以上の壊れやすい接続４６によって、一時的に収納状態で固定できる。壊れやすい接続４６は、部分４５を、１つ以上の箇所４６において、パウチエンベロープの例えば周辺の溶着シーム１６に、取り付けることができる。それぞれの壊れやすい接続は、部分又はスポット溶着により、又は、比較的弱い接着剤により、形成できる。また、壊れやすい接続は、タブ４０自身の脆い部分によっても、形成できる。開封タブの部分４５は、パウチ壁を引裂くことなく、例えば、開封タブ４０の部分４５の延長タブ４７を引っ張り上げることによって、展開でき、部分４５を開放できる。
【００５３】
図４及び図５は、矢印４８方向への開封タブ４０の展開を示している。図４に示すように、最初の裂け目５０は、裂け目開始ライン４４ａに対応して作られる。パウチ壁の引裂き部分５０ａは、開封タブ４０にくっついたままである。図５に示すように、開封タブ４０を更に引っ張ることは、少なくとも部分４２回りの部分にて、裂け目伝播ライン４４ｂ、４４ｃ（任意に４４ｄ、４４ｅ）に沿って伝播する分岐裂け目５２を作る。引裂き部分４２及び取付部５２ａの引裂きラインは、開封タブ４０にくっついたままであり、パウチ壁１２に比較的大きな開口４２ａを作る。開封タブ４０は、（図５に示すように）パウチ１０の下位部にくっついたままであり、又は、開封タブ４０は完全に引裂くことができる。
【００５４】
容易に及び／又は跳ねることなくパウチを開かせるようデザインできる開封ストリップの他のパターンがある。更なる実施例が図８、図９、及び図１０に示されている。必要に応じて同様の符号を用いている。記載されていない場合には、図８〜１０の実施例は、望むように、上述の実施形態の特徴を本来的に有することができる。
【００５５】
図８に示すように、引裂かれるように構成された部分４２は、パウチの上位部に配置できる。これにより、部分４２を、収集された糞便を含むパウチの部分から離すことができる。そのように配置させることは、部分４２が引裂かれると直ぐに糞便が跳ねたり外へ落下したりするのを避けることができ、それは、オストミーパウチ用タイプにとって望ましいものである。更に、大きな部分４２は、水洗トイレでの処分中に、パウチの浮力を低減させるために、パウチから空気を十分に放出させることができる。また、大きな部分４２は、オストメートが望むとき又は水洗トイレの流水中で、パウチ内容物を容易に空にすることができる。開封タブ４０は、掴み部拡張部４５を備えた概ね四角形状を有している。掴み部４５は、任意に、壊れやすい接続４６によって一時的に固定できる。部分４２の形は、上述したのと同様である。
【００５６】
図９に示すように、部分４２は、裂け目開始ライン４４ａと、裂け目開始ライン４４ａと鈍角に交差する裂け目伝播ライン４４ｂと、からなっている。そのような形状は、垂直な「アイスホッケー用スティック」形と呼ばれる。部分４２は、パウチの下端に向かって設けられている。部分４２は、パウチが引裂かれるときに糞便に触れる危険性を低減するために、それ自体、幅が比較的狭くなっている。部分４２は、部分４２自体が比較的狭いにもかかわらず、比較的広い領域に渡って、ガス及び／又は糞便を放出することを促進するために、１つの直線ライン以外からも構成できる。
【００５７】
開封タブ４０は、涙滴形状を有してもよく、また、実質的にパウチの全高さに延びてもよい。開封タブは、第１実施形態と同様にして、壊れやすい接続４６によって固定できる。
【００５８】
図１０に示すように、部分４２は、実質的に、１つの裂け目ライン４４ａからなっている。部分４２は、パウチの下端付近に設けられている。部分４２は、パウチが引裂かれるときに糞便に触れる危険性を低減するために、幅が比較的狭くなっている。開封タブ４０は、少なくともパウチが通常の直立状態にあるときに、引裂かれるよう構成された部分４２の水平位置の上方に、掴み部４５を備えてもよい。掴み部４５のそのような配置は、糞便に触れる危険性を低減できる。掴み部４５の形態は、パウチの幅に対して比較的広い部分４２を許容しながら、パウチの輪郭内に適合する。部分４２は、開封タブ４０の領域内でパウチの寸法の少なくとも大部分に渡って延びている。図１〜７、９に示される実施形態におけるように、部分４２をパウチ１０の下端付近又は下端に位置させると、パウチから糞便を効率的に放出させることができる。
【００５９】
開封タブ４０の他の比較的重要でない例の詳細に関する参照として、米国特許５９７６１１８が本願に組み入れられる。
【００６０】
上述のパウチを使用する際、パウチ１０を処分するために水洗トイレに置く前に、使用者は、パウチ１０を水洗トイレの上に吊し、部分４２を上述のように引裂くことができる。これにより、パウチ内容物の少なくとも幾らかを水洗トイレに直接に放出できる。また、それは、水洗中に空気がパウチ内に捕らえられる機会を低減する。なお、空気は、パウチ１０が水に流されるのを妨げてしまう。パウチ１０が引裂かれると、パウチ１０は、水洗トイレに落として流すことができる。
【００６１】
パウチ１０は、更に、腸内ガス排出口５６に連通している脱臭フィルター５４を備えてもよい。フィルター５４は、パウチ１０の外側、例えば前壁１４に、固定される。水洗トイレでの処分の前に、装着者は、任意に、フィルター５４を剥がすことができる。代わりに、フィルター５４は、取り外し不能なフィルター室（図２のみに符号５８で示されている）内に固定し、また、パウチ１０の一部として水洗可能であるように十分小さくしてもよい。図３は、フィルターの無い室５８を示している。それは、フィルター処理されていない排出口５６に、より適している。パウチ１０は、非対称形、例えば（図７に示すような）腎臓形を有している。
【００６２】
図６及び図７は、ツインパウチ（すなわち「パウチ内パウチ」）の形をした第２実施形態を示している。第２実施形態は、内側パウチ１０’と外側パウチ７０とを有している。第２実施形態は、第１実施形態の多くの特徴を有しており、対応する符号を必要に応じて使用している。内側パウチ１０’は、第１実施形態のパウチ１０と類似しており又は同じである。外側パウチ７０は、第１実施形態の身体取付ウエハ２２の多くの特徴、特に内側パウチ１０’のカラー２０’に接合ゾーンを提供する皮膚接着剤２８’及びバッキング層３０’、を有している。
【００６３】
パウチ１０’及び７０は、非対称形、例えば（図７に示すような）腎臓形を有している。代わりに、パウチ１０’及び７０は、例えば図２〜５に示される形状に類似した、略非対称形を有してもよい。
【００６４】
内側パウチ１０’は、水洗トイレで流すことによって容易に処分できる交換可能な内部体として設けられており、新しい内側パウチ１０’によって交換できる。内側パウチ１０’の向上された水洗性は、内側パウチが非常に容易に処分されることを可能としている。外側パウチ７０’は、内側パウチ１０’を使用中保護するための、より実質的なカバーとして、設けられている。外側パウチ７０’は、多数回使用するためのものである。外側パウチ７０は、前壁７２と後壁７４とで構成されている。外側パウチ７０は、内側パウチ１０’の出し入れを容易にするために、開くことができるようになっている。例えば、留め具７６（図６）が、前壁７２と後壁７４との間のシームに設けられている。留め具は、例えばスライド式ジッパー留め具のような適切な形を有している。図７に示すように、留め具は、前後壁７２、７４にそれぞれ設けられている相補的ジッパートラック７８、８０と、ジッパースライダー８２と、を有している。
【００６５】
パウチ７０の他の構成的特徴は、米国特許１０／６３０，５７５に見られ、ここに参照として組み込まれる。
【００６６】
トイレでパウチを容易に流すための他の方法は、キャリアスリーブ又は処分バッグを用いることである。開封ストリップ構造を有し又は有さないパウチは、水で流す前に、キャリアスリーブ又はバッグ中に収納できる。スリーブ又はバッグは、水に晒されると滑りやすくなる層を形成するよう構成されており、それによって、トイレの流路の目詰まりを起こすかもしれない表面を滑ることができる。そのようなキャリアスリーブ又は処分バッグの材料は、ポリビニルアルコール又は高吸収性テイッシュペーパーである。
【００６７】
キャリアスリーブ又は処分バッグの他の構成的特徴は、米国特許４８３０１８７に見られ、ここに参照として組み込まれる。
【００６８】
好ましい実施形態をオストミーパウチに関連して述べてきたが、当然のことながら、本発明の原理は、多くの他のタイプの医療又は収集パウチに適用できる。また、当然のことながら、開封タブ４０及び薄いカラー２０は、組み合わせて用いているが、本発明の他のパウチは、これらの特徴のただ１つを独立して実施してもよい。
【００６９】
当然のことながら、本発明は、パウチを水洗トイレで流すことによって便利に処分できるという大きな利点を提供できる。
【００７０】
上記記載は、本発明の好ましい形態を単に例示しただけである。本発明の範囲内で多くの変更が可能である。重要であると思われる特徴は添付クレームに示しているが、出願人は、強調されていてもいなくても、ここで述べられている及び／又は図に示されている新たな特徴について、保護を主張するものである。
【図面の簡単な説明】
【００７１】
【図１】パウチの第１実施形態の概略断面図である。
【図２】図１のパウチの概略背面図である。
【図３】図１のパウチの概略正面図である。
【図４】図３に類似した概略正面図であるが、部分的に展開された状態のパウチの開封タブを示す図である。
【図５】図４に類似した概略正面図であるが、完全に展開された状態の開封タブを示す図である。
【図６】パウチの第２実施形態の概略断面図である。
【図７】図６のパウチ部品の概略正面図であり、開いた状態の外側パウチを示す図である。
【図８】異なる開封タブ構成を有するパウチの変形例の概略正面図である。
【図９】異なる開封タブ構成を有するパウチの別の例の概略正面図である。
【図１０】異なる開封タブ構成を有するパウチの更なる例の概略正面図である。
【図１】
2005205216.tif 000003
【図２】
2005205216.tif 000004
【図３】
2005205216.tif 000005
【図４】
2005205216.tif 000006
【図５】
2005205216.tif 000007
【図６】
2005205216.tif 000008
【図７】
2005205216.tif 000009
【図８】
2005205216.tif 000010
【図９】
2005205216.tif 000011
【図１０】
2005205216.tif 000012
【外国語明細書】
2005205216.tif 000013
2005205216.tif 000014
2005205216.tif 000015
2005205216.tif 000016
2005205216.tif 000017
2005205216.tif 000018
2005205216.tif 000019
2005205216.tif 000020
2005205216.tif 000021
2005205216.tif 000022
2005205216.tif 000023
2005205216.tif 000024
2005205216.tif 000025
2005205216.tif 000026
2005205216.tif 000027
2005205216.tif 000028
2005205216.tif 000029
2005205216.tif 000030
2005205216.tif 000031
2005205216.tif 000032
2005205216.tif 000033
2005205216.tif 000034
2005205216.tif 000035
2005205216.tif 000036
2005205216.tif 000037
2005205216.tif 000038
2005205216.tif 000039
2005205216.tif 000040
2005205216.tif 000041
2005205216.tif 000042
2005205216.tif 000043
2005205216.tif 000044
2005205216.tif 000045
2005205216.tif 000046
2005205216.tif 000047
2005205216.tif 000048
2005205216.tif 000049
2005205216.tif 000050
2005205216.tif 000051
2005205216.tif 000052